(57)【要約】【課題】エレベータの乗りかごが故障した際に、当該乗りかごの利用者が目的の階まで到達するためにかかる手間を低減する。【解決手段】バンク制御部１２は、１号機かご１６ａ及び２号機かご１６ｂを含み、１つのバンクとして定義される乗りかご群１６を制御する。１号機かご１６ａが故障した場合、バンク制御部１２は、故障かごである１号機かご１６ａを故障地点から最寄りの階に停止させ、乗り換えかごである２号機かご１６ｂを１号機かご１６ａが停止した階へ移動させる。さらに、バンク制御部１２は、故障時において１号機かご１６ａにおいて指定されていた行き先階を、２号機かご１６ｂの行き先階に追加した上で、１号機かご１６ａに乗っていた利用者を乗せた２号機かご１６ｂを運転させる。【選択図】図３
2017121999.tif 000002
【特許請求の範囲】
【請求項１】
第１乗りかご及び第２乗りかごと、
前記第１乗りかご及び前記第２乗りかごを制御する制御部と、
前記第１乗りかごの行き先階を示す第１行き先階情報、及び、前記第２乗りかごの行き先階を示す第２行き先階情報を記憶する記憶部と、
を備え、
前記制御部は、前記第１乗りかごが故障した際に、前記第１乗りかごを所定の階に停止させ、前記第２乗りかごを前記所定の階へ移動させ、且つ、前記第２行き先階情報に、故障時において前記第１行き先階情報に含まれる行き先階を追加する、
ことを特徴とするエレベータ群管理システム。
【請求項２】
前記第１行き先階情報に含まれる行き先階は、前記第１乗りかごの利用者により指定される、
ことを特徴とする、請求項１に記載のエレベータ群管理システム。
【請求項３】
前記第１乗りかごは、利用者への指示を出力する指示出力部を有し、
前記制御部は、前記第１乗りかごが前記所定の階に停止した後、前記指示出力部に、前記第１乗りかごの利用者を前記第２乗りかごへ移動させる指示を出力させる、
ことを特徴とする、請求項１又は２に記載のエレベータ群管理システム。
【請求項４】
前記第１乗りかご及び前記第２乗りかごは、当該乗りかごを利用中の１又は複数の利用者の総重量を検出する重量センサを有し、
前記制御部は、前記第２乗りかごの重量センサの検出値と、故障時における前記第１乗りかごの重量センサの検出値との比較に基づいて、前記第２乗りかごの前記所定の階からの運転を開始させる、
ことを特徴とする、請求項１から３のいずれか１項に記載のエレベータ群管理システム。
【請求項５】
コンピュータを、
第１乗りかご及び第２乗りかごを制御する制御部と、
前記第１乗りかごの行き先階を示す第１行き先階情報、及び、前記第２乗りかごの行き先階を示す第２行き先階情報を記憶する記憶部と、
として機能させ、
前記制御部は、前記第１乗りかごが故障した際に、前記第１乗りかごを所定の階に停止させ、前記第２乗りかごを前記所定の階へ移動させ、且つ、前記第２行き先階情報に、故障時における前記第１行き先階情報に含まれる行き先階を追加する、
ことを特徴とするエレベータ群管理プログラム。
【発明の詳細な説明】
【技術分野】
【０００１】
本発明は、エレベータ群管理システム及びプログラムに関する。
【背景技術】
【０００２】
従来、制御部と、当該制御部の制御単位に含まれる乗りかご群を有するエレベータシステムが提案されている（特許文献１〜３）。このようなエレベータシステムにおいては、制御部は、各乗りかごにおいて利用者により指定された行き先階に基づいて、各乗りかごを行き先階まで移動させる。また、制御部は、ある階において利用者から呼び指示を受けると、乗りかご群の中から適切な乗りかごを選択し、選択した乗りかごを呼び指示が示す階に移動させる。制御部による制御単位に含まれる乗りかご群は、１つのバンクとして定義される。
【先行技術文献】
【特許文献】
【０００３】
【特許文献１】国際公開２００９／０４７８４３号
【特許文献２】特開２０１２−１５８３９８号公報
【特許文献３】特開２０１１−１３１９６９号公報
【発明の概要】
【発明が解決しようとする課題】
【０００４】
ところで、バンクに含まれる１つの乗りかごが故障した場合、当該乗りかご（故障かご）に乗っていた利用者は、バンクに含まれる他の乗りかごを利用して目的の階まで向かうのが一般的である。従来のエレベータシステムにおいては、乗りかごが故障した場合、利用者は、故障かごから降りた後、他の乗りかごを呼ぶべく、降りた階に設けられた呼びボタンを押下しなければならない。さらに、呼ばれてきた他の乗りかご内の操作パネルに設けられた行き先ボタンを再度押下しなければならない。これらの操作が必要になることにより、乗りかごが故障した際、利用者が目的の階に到達するまでの間に手間がかかっている。
【０００５】
本発明の目的は、エレベータの乗りかごが故障した際に、当該乗りかごの利用者が目的の階まで到達するためにかかる手間を低減することにある。
【課題を解決するための手段】
【０００６】
本発明に係るエレベータ群管理システムは、第１乗りかご及び第２乗りかごと、前記第１乗りかご及び前記第２乗りかごを制御する制御部と、前記第１乗りかごの行き先階を示す第１行き先階情報、及び、前記第２乗りかごの行き先階を示す第２行き先階情報を記憶する記憶部と、を備え、前記制御部は、前記第１乗りかごが故障した際に、前記第１乗りかごを所定の階に停止させ、前記第２乗りかごを前記所定の階へ移動させ、且つ、前記第２行き先階情報に、故障時において前記第１行き先階情報に含まれる行き先階を追加する、ことを特徴とする。
【０００７】
望ましくは、前記第１行き先階情報に含まれる行き先階は、前記第１乗りかごの利用者により指定される。
【０００８】
望ましくは、前記第１乗りかごは、利用者への指示を出力する指示出力部を有し、前記制御部は、前記第１乗りかごが前記所定の階に停止した後、前記指示出力部に、前記第１乗りかごの利用者を前記第２乗りかごへ移動させる指示を出力させる。
【０００９】
望ましくは、前記第１乗りかご及び前記第２乗りかごは、当該乗りかごを利用中の１又は複数の利用者の総重量を検出する重量センサを有し、前記制御部は、前記第２乗りかごの重量センサの検出値と、故障時における前記第１乗りかごの重量センサの検出値との比較に基づいて、前記第２乗りかごの前記所定の階からの運転を開始させる。
【００１０】
また、本発明に係るエレベータ群管理プログラムは、コンピュータを、第１乗りかご及び第２乗りかごを制御する制御部と、前記第１乗りかごの行き先階を示す第１行き先階情報、及び、前記第２乗りかごの行き先階を示す第２行き先階情報を記憶する記憶部と、として機能させ、前記制御部は、前記第１乗りかごが故障した際に、前記第１乗りかごを所定の階に停止させ、前記第２乗りかごを前記所定の階へ移動させ、且つ、前記第２行き先階情報に、故障時における前記第１行き先階情報に含まれる行き先階を追加する、ことを特徴とする。
【発明の効果】
【００１１】
本発明によれば、エレベータの乗りかごが故障した際に、当該乗りかごの利用者が目的の階まで到達するためにかかる手間を低減することができる。
【図面の簡単な説明】
【００１２】
【図１】本実施形態に係るエレベータ群管理システムの構成概略図である。
【図２】行き先階情報群を示す概念図である。
【図３】本実施形態に係るエレベータ群管理システムの処理の流れを示すフローチャートである。
【図４】１号機かごが故障した様子を示す図である。
【図５】故障時における１号機かごのかご内パネルを示す図である。
【図６】１号機かごに対応する行き先階情報の内容が２号機かごに対応する行き先階情報に移される様子を示す概念図である。
【図７】２号機かごのかご内パネルを示す図である。
【図８】２号機かごが運転を開始した様子を示す図である。
【図９】１号機かごに対応する行き先階情報の内容が３号機かごに対応する行き先階情報の内容にマージされる様子を示す概念図である。
【図１０】３号機かごのかご内パネルを示す図である。
【図１１】３号機かごが運転を開始した様子を示す図である。
【発明を実施するための形態】
【００１３】
以下、本発明の好適な実施形態を図面に基づいて説明する。
【００１４】
図１には、本実施形態に係るエレベータ群管理システム１０の構成概略図が示されている。エレベータ群管理システム１０は、バンク制御部１２、バンク制御部１２がアクセス可能なようにバンク制御部１２に接続される記憶部１４、並びに、１号機かご１６ａ、２号機かご１６ｂ、及び３号機かご１６ｃを含む乗りかご群１６を含んで構成される。図１には、３つの乗りかごが示されているが、乗りかご群１６は、２つ又は４つ以上の乗りかごを有していてもよい。
【００１５】
バンク制御部１２は、ＣＰＵあるいはマイクロプロセッサなどから構成される。バンク制御部１２は、記憶部１４に記憶されたプログラムに従って、エレベータ群管理システム１０の各部を制御するものである。特に、バンク制御部１２は、乗りかご群１６の昇降動作を制御する。例えば、エレベータ群管理システム１０が導入された建物の各階に設けられる呼びボタンが押下されたことに応じて、バンク制御部１２は、呼び出しがあった階へ、乗りかご群１６に含まれる乗りかごのいずれかを移動させる。あるいは、各乗りかご内において利用者により指定された行き先階を示す情報（行き先階情報）に基づいて、各乗りかごを行き先階まで昇降させる。また、バンク制御部１２は、乗りかご群１６に含まれる乗りかごのいずれかが故障した際には、故障した乗りかごを含む複数の乗りかごを連携して制御する。故障時におけるバンク制御部１２の処理内容については、後述する。
【００１６】
記憶部１４は、ハードディスク、ＲＯＭ、あるいはＲＡＭなどから構成される。記憶部１４は、エレベータ群管理システム１０を制御するためのプログラムが記憶される。また、記憶部１４には、乗りかご群１６から送信されてくる、各乗りかごに対応した複数の行き先階情報からなる行き先階情報群１８を記憶する。さらに、記憶部１４には、乗りかご群１６に含まれる各乗りかごが有する重量センサ（後述）の検出値を記憶する。
【００１７】
乗りかご群１６に含まれる各乗りかごは、バンク制御部１２の制御単位に含まれるものである。つまり、乗りかご群１６は１つのバンクとして定義される。乗りかご群１６に含まれる各乗りかごの構成は同様であるため、以下、１号機かご１６ａについて説明する。１号機かご１６ａは、かご制御部２０ａ、かご内パネル２２ａ、及び重量センサ２４ａを含んでいる。
【００１８】
かご制御部２０ａは、例えばマイクロプロセッサなどから構成され、１号機かご１６ａの各部を制御するものである。具体的には、１号機かご１６ａが有する扉の開閉制御、利用者から入力された行き先階情報を記憶部１４へ送信する制御などを行う。これらの制御は、１号機かご１６ａが有するＲＯＭなどからなる記憶部（不図示）に記憶されたプログラムに従って行われる。
【００１９】
かご内パネル２２ａは、１号機かご１６ａの内壁に設けられるものである。かご内パネル２２ａは、液晶パネルなどにより構成され種々の情報（１号機かご１６ａが現在いる階など）が表示されるディスプレイ、音声を出力可能なスピーカ、１号機かご１６ａの行き先を指定するための行き先階ボタン群、１号機かご１６ａの扉の開状態を維持するための開ボタン、及び、当該扉を閉めるための閉ボタンなどを含んで構成される。
【００２０】
行き先階ボタン群に含まれる各行き先階ボタンは、内部にＬＥＤなどの発光体を有しており、指定された行き先階に対応する行き先階ボタンが発光するようになっている。これにより、１号機かご１６ａの利用者が、１号機かご１６ａの行き先階を把握可能となっている。利用者により入力された行き先階情報は、かご制御部２０ａにより記憶部１４へ送信される。
【００２１】
重量センサ２４ａは、１号機かご１６ａに乗っている１又は複数の利用者の重量の合計（総重量）を検出するものである。重量センサ２４ａの検出値は、かご制御部２０ａにより読み取られ、当該検出値を示す検出値データが記憶部１４へ送信される。
【００２２】
図２には、行き先階情報群１８の概念図が示されている。図２は、エレベータ群管理システム１０が１０階建の建物に導入された場合の行き先階情報群１８の例である。図２の例では、行き先階情報群１８はテーブル形式となっており、各行が各階を表し、各列が各乗りかごを表す。第１列には、１号機かご１６ａにおいて指定された行き先を示す行き先階情報１８ａの内容が示されている。行き先階情報１８ａにおいては、５階、７階、及び１０階に丸印が付されている。これは、１号機かご１６ａの行き先階として５階、７階、及び１０階が利用者により指定されたことを示す。そして、１号機かご１６ａが５階に移動した際には、行き先階情報１８ａから５階が削除される（図２の例においては５階に付された丸印が削除される）。また、１号機かご１６ａに新たに乗り込んできた利用者により新たに行き先階が指定されれば、行き先階情報１８ａに新しい行き先階が追加される。このように、行き先階情報１８ａの内容は動的に変化する。
【００２３】
行き先階情報群１８には、２号機かご１６ｂに対応する行き先階情報１８ｂ、及び３号機かご１６ｃに対応する行き先階情報１８ｃをさらに含む。このように、行き先階情報群１８は、乗りかごに対応した複数の行き先階情報を含んでいる。行き先階情報群１８は、乗りかご群１６が有する乗りかごの数と同数の行き先階情報を有する。
【００２４】
以下、図３に示すフローチャートに沿って、適宜図４〜８を参照して、乗りかご群１６に含まれる乗りかごのいずれかが故障した際におけるバンク制御部１２の処理手順を説明する。
【００２５】
ステップＳ１０において、バンク制御部１２は、乗りかご群１６に含まれるいずれかの乗りかごが故障したか否かを判定する。例えば乗りかごの扉が閉まらなくなった場合（かご制御部が扉を閉める命令を出しているのに扉が閉状態にならない場合）など、乗りかごの通常運転を阻害する要因が生じた場合には、かご制御部は、自己の制御する乗りかごが故障したことを通知する故障信号をバンク制御部１２に送信する。乗りかごが昇降中に故障した場合は、かご制御部は、自己の乗りかごを故障地点から最寄りの階において、扉を開けた上で停止させる。それと共に故障信号をバンク制御部１２へ送信する。
【００２６】
バンク制御部１２は、当該故障信号に基づいて、乗りかごが故障したことを把握する。また、バンク制御部１２は、故障信号を受信した際に、乗りかご群１６に含まれる各乗りかごのかご制御部に、各乗りかごの重量センサの検出値を示す検出値データを送信させる。これにより、故障時の各乗りかごの重量センサの検出値を示す検出値データが記憶部１４に記憶される。
【００２７】
本例においては、エレベータ群管理システム１０は、図４に示す通り、１号機かご１６ａ、２号機かご１６ｂ、及び３号機かご１６ｃの３つの乗りかごを有するものとし、そのうち、１号機かご１６ａが３階にて故障したとする。また、故障時における各乗りかごに対応する各行き先階情報の内容は、図２に示された内容であるとする。なお、故障時において、１号機かご１６ａには３名の利用者が乗っており、２号機かご１６ｂには誰も乗っておらず、３号機かご１６ｃには２名の利用者が乗っているものとする。
【００２８】
図３に戻り、ステップＳ１２において、バンク制御部１２は、乗りかご群１６に含まれる乗りかごのうち、故障かごである１号機かご１６ａ以外の乗りかご（乗り換えかご）を故障階である３階まで移動させる。本実施形態では、バンク制御部１２は、行き先階情報群１８を参照し、乗りかご群１６に含まれる乗りかごのうち、行き先階が指定されていない乗りかごを乗り換えかごとして指定する。本例では、バンク制御部１２は、乗り換えかごとして２号機かご１６ｂを指定し、２号機かご１６ｂを３階まで移動させる。
【００２９】
ステップＳ１４において、バンク制御部１２は、故障かごである１号機かご１６ａのかご制御部２０ａに対し、１号機かご１６ａの利用者に対して、乗り換えかごである２号機かご１６ｂへの乗り換え指示を出力させるための命令を送信する。かご制御部２０ａは、当該命令を受けて、利用者に対して乗り換え指示を出力する。
【００３０】
図５に、乗り変え指示の例が示されている。図５には、１号機かご１６ａのかご内パネル２２ａが示されている。かご制御部２０ａは、１号機かご１６ａの記憶部（不図示）に予め記憶された文字データを読み出し、これをディスプレイ３０ａに表示させることで、利用者に対する乗り換え指示を出力する。例えば、図５に示される通り、「２号機（乗り換えかご）へ乗り換えてください」といった文字列を表示させる。又は、これに代えてあるいは加えて、スピーカ３２ａから音声を出力して、利用者へ乗り換えかごへの乗り換えを促してもよい。このように、本実施形態としては、利用者への指示を出力する指示出力部は、かご制御部２０ａ及びディスプレイ３０ａを含んで構成される。また、ディスプレイ３０ａに代えてあるいは加えて、スピーカ３２ａも指示出力部に含まれていてよい。
【００３１】
なお、図５に示すように、かご内パネル２２ａは行き先階ボタン群３４ａを有する。図５において、行き先階ボタンの周囲に示された線は、当該ボタンが点灯していることを表す。行き先階ボタン群３４ａにおいては、１号機かご１６ａの利用者の行き先階である５階、７階、及び１０階のボタンが点灯している。
【００３２】
図３に戻り、ステップＳ１６において、バンク制御部１２は、乗り換えかごである２号機かご１６ｂに対応する行き先階情報１８ｂに、故障かごである１号機かご１６ａに対応する行き先階情報１８ａに含まれる行き先階を追加する処理を行う。当該処理の様子が図６に示されている。上述のとおり、故障時において、１号機かご１６ａの行き先階として５階、７階、及び１０階が指定されていた。つまり行き先階情報１８ａには、行き先階として５階、７階、及び１０階を含んでいた。バンク制御部１２は、行き先階情報１８ａの内容に基づいて、２号機かご１６ｂに対応する行き先階情報１８ｂの行き先階に５階、７階、及び１０階を追加する。なお、このとき、行き先階情報１８ａに含まれる行き先階を削除してもよいし、そのまま残しておいてもよい。
【００３３】
図７には、行き先階情報１８ｂに行き先階が追加された後における、２号機かご１６ｂのかご内パネル２２ｂの様子が示されている。２号機かご１６ｂのかご制御部２０ｂは、書き換えられた行き先階情報１８ｂに基づいて、行き先階ボタン群３４ｂのうち、５階、７階、１０階のボタンを点灯させる。これにより、２号機かご１６ｂに乗り換えた利用者は、２号機かご１６ｂの行き先階として、自らの目的とする階が指定されたことを確認できる。なお、ステップＳ１４とステップＳ１６は、いずれが先に実行されてもよい。
【００３４】
図３に戻り、ステップＳ１８において、バンク制御部１２は、故障かごである１号機かご１６ａに乗っていた利用者全員が乗り換えかごである２号機かご１６ｂに乗り換えたか否かを判定する。本実施形態においては、当該判定を行うための判定手段として重量センサを用いる。故障時における故障かご及び乗り換えかごの重量センサの検出値と、現時点における乗り換えかごの重量センサの検出値に基づいて判定を行う。
【００３５】
具体的には、２号機かご１６ｂの重量センサ２４ｂの検出値の故障時から現時点までの変化分（増分）と、故障時における１号機かご１６ａの重量センサ２４ａの検出値とが同等の値になった場合（両値の差分が所定閾値以下である場合）に、１号機かご１６ａの利用者全員が２号機かご１６ｂへ乗り換えたと判定する。本例では、故障時において２号機かご１６ｂには誰も乗っていなかったから、２号機かご１６ｂの重量センサ２４ｂの検出値が、故障時における１号機かご１６ａの重量センサ２４ａの検出値と同等となったときに、乗り換えが完了したと判定できる。当該判定手段としては、重量センサに加えて、乗りかご内の利用者の動きを検出するモーションセンサなどが利用されてもよい。乗り換えが完了したと判定した場合はステップＳ２２に進み、そうでない場合はステップＳ２０に進む。
【００３６】
ステップＳ２０において、乗り換えかごである２号機かご１６ｂのかご制御部２０ｂは、乗り換えた利用者から運転開始指示を受けたか否かを判定する。具体的には、かご内パネル２２ｂが有する閉ボタンが押されたか否かを判定する。故障かごである１号機かご１６ａの利用者の中には、２号機かご１６ｂによらず、他の手段（エスカレータあるいは階段など）で目的の階へ向かう者もいると考えられる。このことを鑑み、ステップＳ２０の処理により、１号機かご１６ａの利用者全員が２号機かご１６ｂに乗り換えなかった場合における２号機かご１６ｂの運転が許容される。
【００３７】
ステップＳ２２において、バンク制御部１２は、乗り換えかごである２号機かご１６ｂの運転を開始する。ステップＳ１６において、２号機かご１６ｂの行き先階には、１号機かご１６ａの行き先階が追加されているので、利用者は２号機かご１６ｂを利用して目的の階まで到達することができる。図８に、１号機かご１６ａの利用者が２号機かご１６ｂに乗り換えて、２号機かご１６ｂの運転が開始された様子が示されている。
【００３８】
図３に戻り、ステップＳ２４において、バンク制御部１２は、故障かごである１号機かご１６ａを管理外かごに指定する。つまり、１号機かご１６ａの利用を停止する。１号機かご１６ａは、当該エレベータシステムの保守管理者などによって修理された後、再度利用が開始される。
【００３９】
本実施形態に係るエレベータ群管理システム１０の処理の流れは以上の通りである。エレベータ群管理システム１０によれば、乗りかご群１６に含まれる乗りかごのいずれかが故障したとき、故障かごは所定の階（例えば最寄りの階）に移動され、且つ、直ちに、バンクに含まれる他の乗りかご（乗り換えかご）が当該所定の階まで移動される。これにより、故障かごに乗っていた利用者は、下ろされた所定の階にて呼びボタンを押す必要がなくなる。さらに、故障かごにおいて指定されていた行き先階が乗り換えかごの行き先階として移されるため、故障かごの利用者は、乗り換えかご内において再度行き先階ボタンを押す必要がなくなる。
【００４０】
上記実施形態においては、乗り換えかごとして、行き先階が指定されていない乗りかご（２号機かご１６ｂ）が指定されていたが、他の基準により乗り換えかごが指定されてもよい。例えば、故障かごに乗っていた利用者をより迅速に目的の階へ到達させるという観点から、バンク内の乗りかごのうち、故障かご以外であって、故障時において故障かごが停止した階（故障階）に最も近くに位置する乗りかごが乗り換えかごとして指定されてもよい。また、各乗りかごにおいて指定されている行き先階の数なども考慮されて乗り換えかごが指定されてもよい。例えば、故障階が３階であって、故障かごと同じバンクに含まれる２つの乗りかごが２階にある場合、故障かごに乗っていた利用者をより迅速に目的の階へ到達させるという観点から、当該２つの乗りかごのうち、指定された行き先階がより少ない乗りかごを乗り換えかごとして指定してもよい。
【００４１】
故障かごである１号機かご１６ａが故障した際の各乗りかごの位置が図４に示される位置であるとする。この場合、故障階である３階に最も近くに位置する故障かご以外の乗りかごは３号機かご１６ｃであるから、乗り換えかごとして３号機かご１６ｃが指定されてもよい。乗り換えかごとして指定された３号機かご１６ｃは、バンク制御部１２の指示により３階まで移動する。
【００４２】
この場合、１号機かご１６ａに対応する行き先階情報１８ａに含まれる行き先階は、３号機かご１６ｃに対応する行き先階情報１８ｃに追加される。図９に、その様子が示されている。図２及び図４に示される通り、３号機かご１６ｃには既に利用者がおり、行き先階情報１８ｃは、既に４階と９階の行き先階を有している。したがって、乗り換えかごとして指定された後の行き先階情報１８ｃは、元々の行き先階である４階、９階に加え、行き先階情報１８ａが有していた行き先階である５階、７階、１０階を含むものとなる。
【００４３】
行き先階情報１８ｃの書き換え後における３号機かご１６ｃのかご内パネル２２ｃの様子が図１０に示されている。かご内パネル２２ｃの行き先階ボタン群３４ｃにおいて、４階、５階、７階、９階、及び１０階のボタンが点灯される。そして、図１１に示す通り、３号機かご１６ｃは、１号機かご１６ａの故障前から利用していた従来利用者と、１号機かご１６ａから乗り変えた利用者とを乗せて運転を続行する。
【００４４】
また、上記実施形態においては、故障かごである１号機かご１６ａの行き先は、１号機かご１６ａの利用者により指定されていたが、１号機かご１６ａの行き先が自動的に決定される態様においても本発明を好適に実施できる。例えば、建物においてイベントが開催され、１号機かご１６ａが当該イベントの参加者専用として利用され、１階とイベント開催階との間のシャトル運転をしている場合を考える。この場合、１号機かご１６ａの行き先階は、自動的に（予めプログラムによって）イベント開催階あるいは地上階に指定される。そして、１号機かご１６ａが故障によって、地上階とイベント開催階の間の階で停止した場合、本発明によれば、１号機かご１６ａの利用者は、乗り換えかごに乗り換えて、手間をかけずにイベント開催階あるいは地上階へ向かうことができる。
【００４５】
以上、本発明に係る実施形態を説明したが、本発明は上記実施形態に限られるものではなく、本発明の趣旨を逸脱しない限りにおいて種々の変更が可能である。
【符号の説明】
【００４６】
１０  エレベータ群管理システム、１２  バンク制御部、１４  記憶部、１６  乗りかご群、１６ａ  １号機かご、１６ｂ  ２号機かご、１６ｃ  ３号機かご、１８  行き先階情報群、１８ａ，１８ｂ，１８ｃ  行き先階情報、２０ａ，２０ｂ，２０ｃ  かご制御部、２２ａ，２２ｂ，２２ｃ  かご内パネル、２４ａ，２４ｂ，２４ｃ  重量センサ、３０ａ  ディスプレイ、３２ａ  スピーカ、３４ａ，３４ｂ，３４ｃ  行き先階ボタン群。
【図１】
2017121999.tif 000003
【図２】
2017121999.tif 000004
【図３】
2017121999.tif 000005
【図４】
2017121999.tif 000006
【図５】
2017121999.tif 000007
【図６】
2017121999.tif 000008
【図７】
2017121999.tif 000009
【図８】
2017121999.tif 000010
【図９】
2017121999.tif 000011
【図１０】
2017121999.tif 000012
【図１１】
2017121999.tif 000013